(57)【要約】【課題】  小さな子供が音階と鍵盤楽器における鍵の位置関係を遊びながら習得することができ、余計なタイムラグを生じることなく、実際の鍵盤楽器にすばやく移行できるようにすることを目的とする。【解決手段】  マット本体の上面に、鍵盤楽器の鍵配置を模して表示された大型の疑似鍵盤と、その各鍵の下方にそれぞれ配設されて押圧されているときに作動する複数の感圧スイッチと、感圧スイッチが作動している鍵に対応する音階の音を出力する音出力装置を備える。【選択図】図１
0003163102.tif 000002
【実用新案登録請求の範囲】
【請求項１】
床面に敷かれる平板状のマット本体と、
該マット本体の上面に、鍵盤楽器の鍵配置を模して表示された大型の疑似鍵盤と、
該疑似鍵盤を構成する複数の鍵の下方に個別に配設され、前記鍵が押圧操作されることによる押圧力で作動する薄型の感圧スイッチと、
前記感圧スイッチと接続されており、前記感圧スイッチが作動している鍵に対応する音を出力する音出力装置と、を備えることを特徴とする楽器マット。
【請求項２】
請求項１記載の楽器マットにおいて、
前記マット本体は、上部マット体と下部マット体が重合することで形成されており、
前記上部マット体の上面に、前記疑似鍵盤が表示されており、
前記感圧スイッチ及びそれらのリード線が、前記上部マット体と前記下部マット体の間に挟み込まれた状態で、前記マット本体に固定されることを特徴とする楽器マット。
【請求項３】
請求項２記載の楽器マットにおいて、
前記リード線がプリント配線された絶縁性シート材に前記感圧スイッチを取り付けてなる感圧スイッチユニットを、前記上部マット体と前記下部マット体で挟み込むことにより固定することを特徴とする楽器マット。
【請求項４】
請求項１乃至３の何れかに記載の楽器マットにおいて、
前記感圧スイッチは、前記疑似鍵盤を構成する白鍵と黒鍵のうち白鍵の音のみに対応して設けられていることを特徴とする楽器マット。
【請求項５】
請求項４記載の楽器マットにおいて、
前記感圧スイッチは、前記疑似鍵盤と同じ縦寸法、及び前記白鍵の幅広部分と同じ横幅寸法を有してなる矩形板状で、黒鍵の表示部分にかかるように設けられていることを特徴とする楽器マット。
【請求項６】
請求項１乃至５の何れかに記載の楽器マットにおいて、
前記音出力装置は、前記マット本体と分離して設けられ、前記感圧スイッチとケーブルを介して接続されていることを特徴とする楽器マット。
【請求項７】
請求項１乃至６の何れかに記載の楽器マットにおいて、
前記疑似鍵盤は、１オクターブ８音の鍵に加えて、それらより低音側及び高音側にそれぞれ位置する少なくとも２音の鍵が表示されていることを特徴とする楽器マット。
【請求項８】
請求項１乃至７の何れかに記載の楽器マットにおいて、
前記マット本体の上面には、前記疑似鍵盤とは別に複数の演奏曲選択ボタンが表示されており、
前記各演奏曲選択ボタンの下方に個別に配設され、押圧操作によって作動する感圧スイッチと、を備え、
該感圧スイッチが作動した演奏曲選択ボタンに対応して予め設定されている演奏曲が前記音出力装置から自動的に演奏出力されることを特徴とする楽器マット。
【考案の詳細な説明】
【技術分野】
【０００１】
本考案は、楽器マットに関する。
【背景技術】
【０００２】
子供に音楽を学ばせる場合、ピアノ等の音階のある楽器をいち早く取り入れることが望ましいが、乳幼児は指先の機能発達が不十分で、いきなりピアノ等の鍵盤楽器を操作させることは難しいため、鈴、カスタネット、タンバリンのような打楽器を使用させることが多い。そこで、乳幼児等でも操作できるように、音階を構成する各音に対応した複数のエアクッション型スイッチを備え、それらのスイッチを足で踏んだり、手のひら全体で押さえたりして、操作されたスイッチに応じた音を出力する音階マットが開発されている。
【先行技術文献】
【特許文献】
【０００３】
【特許文献１】特開平８−２６３０６４号公報
【考案の概要】
【考案が解決しようとする課題】
【０００４】
しかしながら、上記音階マットは実際の楽器とは見かけが異なるため、子供の指先の機能が発達して、実際にピアノ等の鍵盤楽器を操作できるようになったときに、各音階に対応する鍵の位置を一から覚えさせたり、連続音でメロディーを奏でる鍵の操作順を一から教えたりする必要がある。そのため、実際の楽器に移行するまでにタイムラグを生じ、スムーズなステップアップ指導が妨げられるという問題がある。
【０００５】
本考案は、上記のような実情に鑑みて、小さな子供が音階を構成する各音と、鍵盤楽器における各鍵の関係を遊びながら習得することができ、余計なタイムラグを生じることなく、実際の鍵盤楽器にすばやく移行できるようにすることを目的とする。
【課題を解決するための手段】
【０００６】
請求項１記載の楽器マットは、
床面に敷かれる平板状のマット本体と、
該マット本体の上面に、鍵盤楽器の鍵配置を模して表示された大型の疑似鍵盤と、
該疑似鍵盤を構成する複数の鍵の下方に個別に配設され、前記鍵が押圧操作されることによる押圧力で作動する薄型の感圧スイッチと、
前記感圧スイッチと接続されており、前記感圧スイッチが作動している鍵に対応する音を出力する音出力装置と、を備えることを特徴とする。
【０００７】
請求項２記載の楽器マットは、
請求項１記載の楽器マットにおいて、
前記マット本体は、上部マット体と下部マット体が重合することで形成されており、
前記上部マット体の上面に、前記疑似鍵盤が表示されており、
前記感圧スイッチ及びそれらのリード線が、前記上部マット体と前記下部マット体の間に挟み込まれた状態で、前記マット本体に固定されることを特徴とする。
【０００８】
請求項３の楽器マットは、
請求項２記載の楽器マットにおいて、
前記リード線がプリント配線された絶縁性シート材に前記感圧スイッチを取り付けてなる感圧スイッチユニットを、前記上部マット体と前記下部マット体で挟み込むことにより固定することを特徴とする。
【０００９】
請求項４の楽器マットは、
請求項１乃至３の何れかに記載の楽器マットにおいて、
前記感圧スイッチは、前記疑似鍵盤を構成する白鍵と黒鍵のうち白鍵の音のみに対応して設けられていることを特徴とする。
【００１０】
請求項５の楽器マットは、
請求項４記載の楽器マットにおいて、
前記感圧スイッチは、前記疑似鍵盤と同じ縦寸法、及び前記白鍵の幅広部分と同じ横幅寸法を有してなる矩形板状で、黒鍵の表示部分にかかるように設けられていることを特徴とする。
【００１１】
請求項６の楽器マットは、
請求項１乃至５の何れかに記載の楽器マットにおいて、
前記音出力装置は、前記マット本体と分離して設けられ、前記感圧スイッチとケーブルを介して接続されていることを特徴とする。
【００１２】
請求項７の楽器マットは、
請求項１乃至６の何れかに記載の楽器マットにおいて、
前記疑似鍵盤は、１オクターブ８音の鍵に加えて、それらより低音側及び高音側にそれぞれ位置する少なくとも２音の鍵が表示されていることを特徴とする。
【００１３】
請求項８記載の楽器マットは、
請求項１乃至７の何れかに記載の楽器マットにおいて、
前記マット本体の上面には、前記疑似鍵盤とは別に複数の演奏曲選択ボタンが表示されており、
前記各演奏曲選択ボタンの下方に個別に配設され、押圧操作によって作動する感圧スイッチと、を備え、
該感圧スイッチが作動した演奏曲選択ボタンに対応して予め設定されている演奏曲が前記音出力装置から自動的に演奏出力されることを特徴とする。
【考案の効果】
【００１４】
本考案の請求項１記載の楽器マットによれば、以下の優れた効果を奏し得る。マット本体に表示された疑似鍵盤において押圧操作された鍵に対応する音が出力されるため、子供がマット上で足踏みしたり、手のひらで叩いたりして遊びながら、鍵盤楽器の鍵の構成と音階の関係を学習することができる。その結果として、将来、子供の指先の機能が発達したときに、ピアノ等の鍵盤楽器への移行をスムーズに行うことができる。
【００１５】
本考案の請求項２記載の楽器マットによれば、請求項１記載の楽器マットが奏する効果に加えて、以下の優れた効果を奏し得る。感圧スイッチ及びそのリード線を上部マット体と下部マット体の間に挟み込んだ状態で固定することにより、感圧スイッチがマット本体から外れたり、リード線が断線したりする不具合が防止される。
【００１６】
本考案の請求項３記載の楽器マットによれば、請求項２記載の楽器マットが奏する効果に加えて、以下の優れた効果を奏し得る。上部マット体と下部マット体の間に、感圧スイッチ及びリード線が一体的に設けられるシート状の感圧スイッチユニットを挟み込むことで容易に組立可能で、また、組立前に作動確認試験を行うことができる。
【００１７】
本考案の請求項４記載の楽器マットによれば、請求項１乃至３の何れかに記載の楽器マットが奏する効果に加えて、以下の優れた効果を奏し得る。小さな子供をとりあえず音楽に馴染ませるという観点からすれば、白鍵のみで演奏できる曲に取り組ませることで十分である一方、感圧スイッチを白鍵のみに対応して設けることで製作コストを抑えることができる。
【００１８】
本考案の請求項５記載の楽器マットによれば、請求項４記載の楽器マットが奏する効果に加えて、以下の優れた効果を奏し得る。感圧スイッチを白鍵の形状に合わせた異形とすることなく矩形状にすることで、製作コストを抑えることができ、また、疑似鍵盤と同じ縦寸法及び白鍵の幅広部分と同じ横幅寸法として黒鍵の表示部分にかかるようにしたので、各感圧スイッチを足で踏んだり、手のひらで叩いたりして操作する際に、手足が黒鍵の方へ外れても確実に発音させることができる。
【００１９】
本考案の請求項６記載の楽器マットによれば、請求項１乃至５の何れかに記載の楽器マットが奏する効果に加えて、以下の優れた効果を奏し得る。音出力装置をマット本体と分離し、感圧スイッチとケーブルで接続することとしたので、マット本体が略平坦となり、また、マット本体周辺に広いスペースが確保されるので、子供がマット上で遊ぶ際につまずいて転倒したり、音出力装置にぶつかって怪我したりする等の事故が防止される。また、スピーカ等を備える音出力装置が蹴飛ばされたりして破損することも防止される。
【００２０】
本考案の請求項７記載の楽器マットによれば、請求項１乃至６の何れかに記載の楽器マットが奏する効果に加えて、以下の優れた効果を奏し得る。疑似鍵盤を何オクターブにもおよぶ幅広な寸法にすると、子供には操作しにくくなる一方、１オクターブ８音相当分の音階のみでは演奏できる曲が限られるため、覚えの早い子供はすぐ飽きるおそれがある。そこで、１オクターブの８音に加えて、それらの低音及び高音側にそれぞれ２音以上の鍵を設けた疑似鍵盤として演奏可能な曲を増やし、また、高さの異なる同音程の存在を子供に認識させられるようにした。
【００２１】
本考案の請求項８記載の楽器マットによれば、請求項１乃至７のいずれかに記載の楽器マットが奏する効果に加えて、以下の優れた効果を奏し得る。疑似鍵盤とは別個に表示される演奏曲選択ボタンを押圧操作することで、押圧操作されたボタンに対して予め設定された演奏曲が自動演奏されるので、曲の演奏方法を指導するときに御手本として子供たちに聞かせたり、その曲に合わせて演奏させたり、遊戯させたりすることができる。
【図面の簡単な説明】
【００２２】
【図１】本考案の実施形態に係る楽器カーペットの斜視図。
【図２】楽器カーペットにおけるマット本体の分解斜視図。
【図３】感圧スイッチユニットの変形例を示す分解斜視図。
【図４】上記変形例の感圧スイッチ構造を示す（ａ）拡大分解斜視図、及び（ｂ）断面図、並びに押圧操作された状態を示す（ｃ）断面図。
【考案を実施するための形態】
【００２３】
以下、本考案の実施の形態について図を参照しながら説明する。
【００２４】
（楽器マット１）
図１に示す楽器マット１は、床面に敷かれる矩形で平板状のマット本体２と、マット本体２の上面２１ａに鍵盤楽器の鍵盤における鍵配置を模して表示された大型の疑似鍵盤３（白鍵３１〜３１３及び黒鍵３１４〜３２２）と、疑似鍵盤３を構成する複数の鍵３１〜３１３のそれぞれの下方に個別に配設され、各鍵が上方から押圧操作されていることによる押圧力で作動する複数の薄型の感圧スイッチ４１〜４１３と、マット本体２から分離して設けられ、感圧スイッチ４１〜４１３にケーブル４５を介して接続されて、感圧スイッチ４１〜４１３が作動している鍵に対応する音をスピーカ出力する音出力装置５と、を備えてなる。
【００２５】
また、楽器マット１は、マット本体２の上面２１ａに、上記疑似鍵盤３とは別に表示される複数の演奏曲選択ボタン６１〜６４と、各演奏曲選択ボタン６１〜６４のそれぞれの下方に個別に配設され、上方からの押圧操作によって作動する複数の薄型の感圧スイッチ４６１〜４６４と、備え、感圧スイッチが作動した演奏曲選択ボタンに対応して予め設定されている演奏曲が音出力装置５から自動的に演奏出力される。感圧スイッチ４６１〜４６４は、感圧スイッチ４１〜４１３と同様に、ケーブル４５を介して音出力装置５に接続されている。
【００２６】
（マット本体２）
マット本体２は、図１及び図２に示すように、共に矩形状の上部マット体２１と下部マット体２２を一体的に重合してなる横幅１８０ｃｍ×縦１２０ｃｍの平面部材であり、図２に示すように、感圧スイッチ４１〜４１３、４６１〜４６４を備えるシート状の感圧スイッチユニット４を内蔵している。より具体的には、上部マット体２１と下部マット体２２が、これらのマット体２１，２２に比べて外周寸法が僅かに小さい矩形状の感圧スイッチユニット４を挟み込むとともに、マット体２１，２２が相互に接触する周縁部同士を縫合、接着又は締結等されることにより結合され、これにより感圧スイッチユニット４がマット本体２の内部で固定されている。
【００２７】
上部マット体２１は、その上面２１ａに、上述した大型の疑似鍵盤３及び演奏曲選択ボタン６１〜６４がプリント表示で描かれており、疑似鍵盤３を構成する鍵や演奏曲選択ボタンが押圧操作されたときに、その下方に配設されている感圧スイッチ４１〜４１３、４６１〜４６４を作動し易くするため、柔軟性に優れた弾性素材で形成されている。下部マット体２２は、楽器マット１を床面に敷いたときに、マット上に乗った子供が動き回っても容易にずれ動くことがないように、下面にラテックスゴムのコーティング処理等によるノンスリップ加工が施されている。なお、上部マット体２１は、後述する感圧スイッチユニット４の各リード線４２の集結部４３を外部に露出させて、集結部４３をアダプタ４４と連結させるためのコ字形の切欠き２１ｂが形成されている。
【００２８】
（疑似鍵盤３及び演奏曲選択ボタン６１〜６４）
疑似鍵盤３は、上部マット体２の上面２１ａの縦及び横方向における中央部分に、ピアノやオルガン等の鍵盤楽器の鍵盤を模して描かれた横幅１６０ｃｍ×縦５０ｃｍの矩形状の表示であり、横方向に並ぶ「ド」から「ド」までの１オクターブ８音分の鍵に加えて、更に低音側と高音側に位置する２音分以上の鍵が横方向に並ぶように構成される。より具体的に述べると、疑似鍵盤３は、「ソ」〜「ミ」の音に対応する１３個の白鍵３１〜３１３と、これらの間に挟まれる９個の黒鍵３１４〜３２２で構成されている。
【００２９】
白鍵３１〜３１３は、その幅広部分の横幅が約１３ｃｍ、縦５０ｃｍの大きさに設定されており、黒鍵３１４〜３２２は、横幅寸法が白鍵よりも狭く、横幅約７ｃｍ×縦約２５ｃｍに設定され、白鍵３１〜３１３の一角に食い込むように配置されている。白鍵３１〜３１３は、上記のように十分大きい横幅を備えているので、子供が足や手のひらで押圧するときに隣接する他の白鍵の感圧スイッチまで作動させる心配が無い。なお、感圧スイッチは、後述するように、疑似鍵盤３を構成する白鍵と黒鍵のうち白鍵３１〜３１３のみに対応して設けられているため、白鍵操作時に黒鍵を誤操作しても黒鍵に対応する音が出ることは無い。
【００３０】
演奏曲選択ボタン６１〜６４は、それぞれ直径２０〜２５ｃｍ程度の丸形で、疑似鍵盤３の左右両端の上下方向にそれぞれ間隔をおいて設けられ、一つずつ色を変えて表示されており、各ボタンには子供向けのキャラクターが描かれている。なお、各ボタンに演奏される曲の名称を表示することとしても良いが、本実施形態では、音出力装置５を操作することにより、各ボタンに演奏曲を割り当てることができるようにしているため、曲名表示はなされていない。
【００３１】
（感圧スイッチユニット４）
感圧スイッチユニット４は、図２に示すように、矩形状のシート材で構成されるユニット本体４１の上面側において、上部マット体２１の疑似鍵盤３の白鍵３１〜３１３に対応する位置には、薄型の矩形板状に形成された感圧スイッチ４１〜４１３が固定されており、演奏曲選択ボタン６１〜６４に対応する位置には、円形板状の感圧スイッチ４６１〜４６４が固定されている。ユニット本体４１は、絶縁性フィルムによる被覆又は絶縁性塗料の塗布を施した絶縁性シート材であり、ユニット本体４１の上面には多数のリード線４２がプリント配線され、これを介して、各感圧スイッチ４１〜４１３はアダプタ４４に接続され、更にアダプタ４４からケーブル４５を介して音出力装置５に接続される。
【００３２】
感圧スイッチ４１〜４１３、４６１〜４６４は、その作動によって、どの白鍵又は演奏曲選択ボタンが押圧操作されたかを音出力装置５に伝達する。具体的には、上下方向で所定以上の押圧力を受けることによって導電性が変化する感圧性導電ゴムの上下面を、二枚の電極板で挟み込んで一体化したセンサスイッチであり、上方から押圧されているときに上下の電極板間で通電する作動状態となるが、導電ゴムを採用する方式に限らず、他の方式の感圧スイッチを使用することもできる。
【００３３】
ここで、疑似鍵盤３の白鍵３１〜３１３に対応する感圧スイッチ４１〜４１３は、図１において点線で示すように、疑似鍵盤と同じ縦寸法、及び白鍵３１〜３１３の幅広部分と同じ横幅寸法を有してなる矩形板状で、白鍵の表示部分のみならず、黒鍵の表示部分にもかかるように設けられている。すなわち、疑似鍵盤３の下方に設けられる感圧スイッチは、白鍵３１〜３１３のみに対応するものであり、黒鍵３１４〜３２２を操作しても白鍵に対応する音が出力されることになる。
【００３４】
（音出力装置５）
音出力装置５は、疑似鍵盤３（感圧スイッチ４１〜４１３）や演奏曲選択ボタン６１〜６４（感圧スイッチ４６１〜４６４）の押圧操作に応じて、操作された鍵に対応する音や操作されたボタンに対して予め設定されている演奏曲をスピーカから出力する。音出力装置５は、図１に示すように、ケーブル４５を介してマット本体２のアダプタ４４に接続される箱型体であり、操作部５１と、その両側に設けられて音階音や演奏曲を出力するスピーカ部５２を連結してなる。
【００３５】
操作部５１の前面には、楽器マット１の電源をＯＮ及びＯＦＦするための電源スイッチ５１ａ、電源ＯＮ状態において装置の作動状態を出力する表示部５１ｂ、及びスピーカの出力音量を調節するための音量調節ダイヤル５１ｃを備えるほか、演奏曲選択ボタン６１〜６４に演奏曲を割り当てたり、出力される音色を変えたりするための操作ボタンが設けられている。更に操作部５１の内部には、スピーカ出力する音を生成するための電子回路、アンプ、電源回路等（何れも不図示）が収納され、後面から、電源コンセントに接続されるプラグ５３ａを有する電源コード５３が延びている。
【００３６】
（本実施形態に係る楽器マットの特徴）
本実施形態に係る楽器マット１は、上記のように構成されることにより、以下の特徴を有する。
【００３７】
第一に、楽器マット１は、マット本体２に、鍵盤楽器の鍵配置を模して表示された疑似鍵盤３と、疑似鍵盤３を構成する複数の鍵３１〜３１３の下方に個別配設されて押圧操作で作動する薄型の感圧スイッチ４１〜４１３と、感圧スイッチ４１〜４１３と接続され、感圧スイッチが作動している鍵に対応する音を出力する音出力装置５を備えるという特徴を有する。この特徴により、乳幼児が楽器マット１上に表示された疑似鍵盤３の各鍵を足踏みしたり、手のひらで叩いたりして遊びながら、それによって押圧操作された鍵に対応する音を聞くことで、鍵盤楽器の鍵の構成と音階の関係を自然に学ぶことができる。
【００３８】
第二に、感圧スイッチ４１〜４１３及びそれらのリード線４２が、上部マット体２１と下部マット体２２の間に挟み込まれた状態で、マット本体２に内蔵固定されるという特徴を有する。この特徴により、足踏みや手叩きによる衝撃を繰り返し加えられても、感圧スイッチ４１〜４１３がマット本体から外れたり、リード線４２が断線したりする不具合が防止される。感圧スイッチ４６１〜４６４及びそれらに接続されるリード線４２についても、上記同様、上部マット体２１と下部マット体２２に挟み込まれることで、外れや断線が防止される。
【００３９】
第三に、リード線４２がプリント配線された絶縁性シート材であるユニット本体４１に、感圧スイッチ４１〜４１３、４６１〜４６４を取り付けた感圧スイッチユニット４を、上部マット体２１と下部マット体２２で挟み込むことによりマット本体２に固定するという特徴を有する。この特徴により感圧スイッチ４１〜４１３、４６１〜４６４及びリード線４２をマット本体２に挟み込む作業が容易になり、組立前に感圧スイッチの作動確認試験を行えるようになる。
【００４０】
第四に、疑似鍵盤３の下方に配設される感圧スイッチは、疑似鍵盤３を構成する鍵のうち白鍵３１〜３１３の音のみに対応して設けられているという特徴を有する。小さな子供をとりあえず音楽に馴染ませるためには、白鍵のみで演奏できる曲に絞る方が取り組み易く、また十分である一方、小さな子供の場合にあまり使われない黒鍵用の感圧スイッチを設けないことで製作コストが抑えられる。
【００４１】
第五に、楽器マット１に表示される大型の疑似鍵盤３の白鍵３１〜３１３は、横幅約１４ｃｍで子供の掌の幅に対して十分な大きさを有しているという特徴を有する。この特徴により、指先の機能が十分に発達していない乳幼児でも掌全体を使って自らが狙いとする鍵を個別に操作する（発音させる）ことができる。
【００４２】
第六に、疑似鍵盤３の下方に配設される感圧スイッチ４１〜４１３は、疑似鍵盤３と同じ縦寸法、及び白鍵３１〜３１３の幅広部分（黒鍵と隣接していない部分）と同じ横幅寸法を有してなる矩形板状とされ、黒鍵３１４〜３２２の表示部分にかかるように設けられているという特徴を有する。この特徴により、感圧スイッチ４１〜４１３を、白鍵の形状に合わせた異形とする必要が無くなり、製作コストが抑えられる。また、黒鍵の表示部分にかかるようにしたので、感圧スイッチを踏んだり、叩いたりする際に、手足が黒鍵の方へ外れても確実に発音させることができる。
【００４３】
第七に、音出力装置５は、マット本体２と分離して設けられ、感圧スイッチ４１〜４１３とケーブル４５で接続されているという特徴を有する。この特徴により、子供が足踏み等して遊ぶマット本体を略平坦に形成することができ、また、音出力装置５をマット本体から離して置けるので、マットの周囲スペースが広く確保され、子供がマット上でつまずいて転倒したり、音出力装置５にぶつかって（例えば転倒して頭をぶつけて）怪我したりする事故が防止される。また、スピーカ等を備える音出力装置５が蹴飛ばされて破損することも防止される。
【００４４】
第八に、楽器マット１上の疑似鍵盤３は、「ド」〜「ド」の１オクターブ８音分の鍵に加えて、低音側の「ソ」〜「シ」の３音分の鍵と、高音側の「レ」〜「ミ」の２音分の鍵を備えるという特徴を有する。この特徴により、１オクターブ８音分のみで演奏可能な曲に限らず、更に多くの曲に取り組ませることができ、また、高さの異なる同音程が存在することを子供に認識させることができる。
【００４５】
第九に、楽器マット１上に疑似鍵盤３のみならず、複数の演奏曲選択ボタン６１〜６４が表示され、各ボタンを押圧することで、それらに対応して予め設定されている演奏曲を音出力装置５から自動的に演奏出力するという特徴を有する。この特徴により、曲の演奏方法を指導するときに御手本として子供たちに聞かせたり、その曲に合わせて演奏をさせたり、遊戯をさせたりすることができる。
【００４６】
（上記実施形態の変形例）
上記実施形態では、疑似鍵盤を形成する各鍵や演奏曲選択ボタンが表示される上部マット体２１と下部マット体２２の間に、上下二枚の電極盤の間に導電ゴムを介在させた感圧スイッチ４１〜４１３及び４６１〜４６４を固定した感圧スイッチユニット４を設けたが、感圧スイッチユニット４に代えて、図３に示される感圧スイッチユニット４´を設けることとしても良い。感圧スイッチユニット４´は、上部電極シート７、スペーサ８及び下部電極シート９を重合させて、感圧スイッチユニット４と同様に各鍵や演奏曲選択ボタンに対応する感圧スイッチを備える矩形状のシートを構成するものである。
【００４７】
上部電極シート７は、矩形状の絶縁性シート材７１の下面に対し、各鍵や演奏曲選択ボタンに対応する位置にそれぞれ電極板７１〜７１３及び７６１〜７６４を貼付し、各電極板にプリント配線されたリード線７２を接続したものである。スペーサ８は、矩形状の絶縁性クッションシート材であり、上記電極板７１〜７１３及び７６１〜７６４に対応する位置には、それぞれ上下方向に貫通する貫通孔８ｈが多数設けられている。下部電極シート９は、矩形状の絶縁性シート材９１の上面に対し、各鍵や演奏曲選択ボタンに対応する位置にそれぞれ電極板９１〜９１３及び９６１〜９６４を貼付し、各電極板にプリント配線されたリード線９２を接続したものである。
【００４８】
電極板９１〜９１３及び９６１〜９６４（９Ｘ）には、例えば、図４（ａ）に示すように、スペーサ８の貫通孔８ｈに対応する位置に凸部９Ｐが形成されている。凸部９Ｐは、図４（ｂ）に示すように、スペーサ８の貫通孔８ｈ内に入り込んだ状態で電極板７１〜７１３及び７６１〜７６４（７Ｘ）に対向しており、図４（ｃ）に示すように、電極板７Ｘが上方から押圧されることで電極板７Ｘに当接し、上下の電極板間で通電作動する。感圧スイッチユニット４´を使用すれば、導電性ゴム製の高価な感圧スイッチを多数使用する上記実施形態に比べて、コストを安価に抑えられるメリットがある。
【００４９】
上記の他、本考案は、上述した実施例にのみ限定されるものでなく、本考案の要旨を逸脱しない範囲内において種々変更を加え得ることは勿論である。
【符号の説明】
【００５０】
１    楽器マット
２    マット本体
２１    上部マット体
２２    下部マット体
３    疑似鍵盤
３１-３１３    白鍵
３１４-３２２    黒鍵
４    感圧スイッチユニット
４１-４１３    感圧スイッチ
４６１-４６４    感圧スイッチ
４１    ユニット本体
４２    リード線
４３    集結部
４４    アダプタ
４５    ケーブル
５    音出力装置
５１    操作部
５１ａ    電源スイッチ
５１ｂ    インジケータ
５１ｃ    音量調節ダイヤル
５２    スピーカ部
５３    電源コード
５３ａ    プラグ
６１-６４    演奏曲選択ボタン
４´    感圧スイッチユニット（変形例）
７    上部電極シート
７１-７１３    電極板
７６１-７６４    電極板
７１    絶縁性シート材
７２    リード線
８    スペーサ
８ｈ    貫通孔
９    下部電極シート
９１-９１３    電極板
９６１-９６４    電極板
９Ｐ    凸部
９１    絶縁性シート材
９２    リード線
【図１】
0003163102.tif 000003
【図２】
0003163102.tif 000004
【図３】
0003163102.tif 000005
【図４】
0003163102.tif 000006